(57)【要約】【課題】複数のコンデンサへの電流の流し方を直列・並列に切替可能な切替スイッチとは別に、複数のコンデンサからの放電を開始する放電スイッチも有して、「簡素化」等の実現を図る。【解決手段】入力電流Ｘを複数のコンデンサ２に充電し、複数のコンデンサ２から出力電流Ｙを放電する充放電回路１である。複数のコンデンサ２に電流を直列に流し得る直列電流状態Ｊ１と、電流を並列に流し得る並列電流状態Ｊ２とに切替可能な切替スイッチ３を有し、切替スイッチ３とは別に、複数のコンデンサ２からの出力電流Ｙの放電を開始する放電スイッチ４も有している。複数のコンデンサ２を直列に接続した直列配線５は、隣接する２つのコンデンサ２の間に中間ダイオード６が配設され、アノード並列配線９Ａとカソード並列配線９Ｋのうち一方に切替スイッチ３が配設され、他方に並列用ダイオード１０が配設されていても良い。【選択図】図１
2018191462.tif 000002
【特許請求の範囲】
【請求項１】
入力電流（Ｘ）を複数のコンデンサ（２）に充電し、これら複数のコンデンサ（２）から出力電流（Ｙ）を放電する充放電回路であって、
前記複数のコンデンサ（２）に電流を直列に流し得る直列電流状態（Ｊ１）と、前記複数のコンデンサ（２）に電流を並列に流し得る並列電流状態（Ｊ２）とに切替可能な切替スイッチ（３）を有し、
この切替スイッチ（３）とは別に、前記複数のコンデンサ（２）からの出力電流（Ｙ）の放電を開始する放電スイッチ（４）も有していることを特徴とする充放電回路。
【請求項２】
前記複数のコンデンサ（２）を直列に接続した直列配線（５）を有し、
この直列配線（５）は、隣接する２つのコンデンサ（２）の間それぞれに、アノードからカソードへの順方向を揃えた中間ダイオード（６）が配設され、
前記中間ダイオード（６）のアノード側と当該アノード側に隣接するコンデンサとのアノード・コンデンサ間（７Ａ）それぞれを、前記直列配線（５）の端に位置し且つ中間ダイオード（６）のカソード側のみに隣接するカソード端コンデンサ（２Ｋ）における中間ダイオードとは反対側のカソード端外側電極（８Ｋ）に接続したアノード並列配線（９Ａ）と、
前記中間ダイオード（６）のカソード側と当該カソード側に隣接するコンデンサとのカソード・コンデンサ間（７Ｋ）それぞれを、前記直列配線（５）の端に位置し且つ中間ダイオード（６）のアノード側のみに隣接するアノード端コンデンサ（２Ａ）における中間ダイオードとは反対側のアノード端外側電極（８Ａ）に接続したカソード並列配線（９Ｋ）とを有し、
前記アノード並列配線（９Ａ）に前記切替スイッチ（３）が配設され、前記カソード並列配線（９Ｋ）に前記カソード・コンデンサ間（７Ｋ）からアノード端外側電極（８Ａ）に向かって順方向に並列用ダイオード（１０）が配設されている、
前記カソード並列配線（９Ｋ）に前記切替スイッチ（３）が配設され、前記アノード並列配線（９Ａ）に前記カソード端外側電極（８Ｋ）からアノード・コンデンサ間（７Ａ）に向かって順方向に並列用ダイオード（１０）が配設されている、又は、
前記アノード並列配線（９Ａ）及びカソード並列配線（９Ｋ）に前記切替スイッチ（３）が配設されていることを特徴とする請求項１に記載の充放電回路。
【請求項３】
前記切替スイッチ（３）による切替と前記放電スイッチ（４）による放電開始を周期的に行うタイマー部（１１）を有し、
このタイマー部（１１）の電源端子（１２）を、前記カソード端コンデンサ（２Ｋ）又はアノード端コンデンサ（２Ａ）と当該コンデンサ（２Ｋ、２Ａ）に隣接する中間ダイオード（６）とのダイオード・コンデンサ間（７Ｄ）に接続したタイマー電源配線（１３）を有し、
このタイマー電源配線（１３）に、前記ダイオード・コンデンサ間（７Ｄ）から電源端子（１２）に向かって順方向に電源用ダイオード（１４）が配設されていることを特徴とする請求項２に記載の充放電回路。
【請求項４】
請求項３に記載の充放電回路（１）を備え、この充放電回路（１）から放電される出力電流（Ｙ）を用いて、電路（Ｒ）の通電を検査する検電器であって、
前記充放電回路（１）におけるアノード端外側電極（８Ａ）とカソード端外側電極（８Ｋ）それぞれに接続された一対のゲート電極（２１）を備え、
この一対のゲート電極（２１）を前記電路（Ｒ）の通電により生じる電界（Ｅ）内に位置させた際に、前記一対のゲート電極（２１）間の電位差による入力電流（Ｘ）を前記複数のコンデンサ（２）に充電し、
前記複数のコンデンサ（２）から周期的に放電される出力電流（Ｙ）で点滅する発光部（２２）を備えていることを特徴とする検電器。
【請求項５】
前記電路（Ｒ）は交流電路（Ｒ’）であって、
この交流電路（Ｒ’）から交流電流を直流電流に変換する整流器（２３）を備え、
この整流器（２３）からの直流電流が、前記入力電流（Ｘ）として複数のコンデンサ（２）に充電され、
前記複数のコンデンサ（２）への充電時に切替スイッチ（３）により前記直列電流状態（Ｊ１）とされ、前記複数のコンデンサ（２）からの放電前に切替スイッチ（３）により前記並列電流状態（Ｊ２）とされ、
前記並列電流状態（Ｊ２）とされた後に、前記放電スイッチ（４）により出力電流（Ｙ）の放電を開始することを特徴とする請求項４に記載の検電器。
【発明の詳細な説明】
【技術分野】
【０００１】
本発明は、入力電流をコンデンサに充電し、コンデンサから出力電流を放電する充放電回路、及び、この充放電回路を備え、当該充放電回路から放電される出力電流を用いて電路の通電を検査する検電器に関する。
【背景技術】
【０００２】
従来、コンデンサを充電するコンデンサ充電装置（詳しくは、スイッチ駆動信号に応じてオンするスイッチ手段と変圧器の一次巻線とが直列に接続された回路に電源電圧が印加され、前記変圧器の二次巻線に接続され得るコンデンサを充電するコンデンサ充電装置）が知られている（特許文献１参照）。
このコンデンサ充電装置は、前記スイッチ駆動信号が発生されて前記スイッチ手段がオンしているときに、前記一次巻線に流れる一次電流に応じた一次電流検出信号を検出する一次電流検出手段と、前記一次電流検出信号がピーク検出用所定値に達したときに、前記スイッチ駆動信号を停止して前記スイッチ手段をオフするための一次電流ピーク検出信号を発生する一次電流ピーク検出回路と、前記一次電流ピーク検出信号を受けてオフ時間の計時を開始し、そのオフ時間を計時したときに、前記スイッチ駆動信号を発生し前記スイッチ手段をオンするためのオフ時間終了信号を発生するオフ時間検出回路とを備える。
【先行技術文献】
【特許文献】
【０００３】
【特許文献１】特開２００６−８１３２１号公報
【発明の概要】
【発明が解決しようとする課題】
【０００４】
しかしながら、特許文献１に記載されたコンデンサ充電装置は、そもそも変圧器の他、一次電流検出信号を検出する一次電流検出手段や、一次電流ピーク検出信号を発生する一次電流ピーク検出回路、及び、オフ時間終了信号を発生するオフ時間検出回路までも必須としており、装置の複雑化・大型化を招いている（特に、特許文献１の図１）。
【０００５】
本発明は、このような点に鑑み、複数のコンデンサへの電流の流し方を直列・並列に切替可能な切替スイッチとは別に、複数のコンデンサからの放電を開始する放電スイッチも有することで、充放電回路や検電器の「簡素化」などを実現することを目的とする。
【課題を解決するための手段】
【０００６】
本発明に係る充放電回路１は、入力電流Ｘを複数のコンデンサ２に充電し、これら複数のコンデンサ２から出力電流Ｙを放電する充放電回路であって、前記複数のコンデンサ２に電流を直列に流し得る直列電流状態Ｊ１と、前記複数のコンデンサ２に電流を並列に流し得る並列電流状態Ｊ２とに切替可能な切替スイッチ３を有し、この切替スイッチ３とは別に、前記複数のコンデンサ２からの出力電流Ｙの放電を開始する放電スイッチ４も有していることを第１の特徴とする。
【０００７】
本発明に係る充放電回路１の第２の特徴は、第１の特徴に加えて、前記複数のコンデンサ２を直列に接続した直列配線５を有し、この直列配線５は、隣接する２つのコンデンサ２の間それぞれに、アノードからカソードへの順方向を揃えた中間ダイオード６が配設され、前記中間ダイオード６のアノード側と当該アノード側に隣接するコンデンサとのアノード・コンデンサ間７Ａそれぞれを、前記直列配線５の端に位置し且つ中間ダイオード６のカソード側のみに隣接するカソード端コンデンサ２Ｋにおける中間ダイオードとは反対側のカソード端外側電極８Ｋに接続したアノード並列配線９Ａと、前記中間ダイオード６のカソード側と当該カソード側に隣接するコンデンサとのカソード・コンデンサ間７Ｋそれぞれを、前記直列配線５の端に位置し且つ中間ダイオード６のアノード側のみに隣接するアノード端コンデンサ２Ａにおける中間ダイオードとは反対側のアノード端外側電極８Ａに接続したカソード並列配線９Ｋとを有し、前記アノード並列配線９Ａに前記切替スイッチ３が配設され、前記カソード並列配線９Ｋに前記カソード・コンデンサ間７Ｋからアノード端外側電極８Ａに向かって順方向に並列用ダイオード１０が配設されている、前記カソード並列配線９Ｋに前記切替スイッチ３が配設され、前記アノード並列配線９Ａに前記カソード端外側電極８Ｋからアノード・コンデンサ間７Ａに向かって順方向に並列用ダイオード１０が配設されている、又は、前記アノード並列配線９Ａ及びカソード並列配線９Ｋに前記切替スイッチ３が配設されている点にある。
【０００８】
本発明に係る充放電回路１の第３の特徴は、第１又は２の特徴に加えて、前記切替スイッチ３による切替と前記放電スイッチ４による放電開始を周期的に行うタイマー部１１を有し、このタイマー部１１の電源端子１２を、前記カソード端コンデンサ２Ｋ又はアノード端コンデンサ２Ａと当該コンデンサ２Ｋ、２Ａに隣接する中間ダイオード６とのダイオード・コンデンサ間７Ｄに接続したタイマー電源配線１３を有し、このタイマー電源配線１３に、前記ダイオード・コンデンサ間７Ｄから電源端子１２に向かって順方向に電源用ダイオード１４が配設されている点にある。
【０００９】
これらの特徴により、直列電流状態Ｊ１と並列電流状態Ｊ２とに切替可能な切替スイッチ３とは別に、複数のコンデンサ２からの放電を開始する放電スイッチ４も有することで、特許文献１とは異なり、切替スイッチ３によって高圧→低圧・低圧→高圧の変圧が可能となり、鉄心やコイル等で高重量・大型となる変圧器は不要となり、切替スイッチ３の他に放電スイッチ４だけとなり、一次電流検出手段や一次電流ピーク検出回路、オフ時間検出回路などよりも回路の多種を抑制できる（「簡素化」の実現）。
【００１０】
又、複数のコンデンサ２を直列に接続した直列配線５で、隣接する２つのコンデンサ２の間に中間ダイオード６を配設し、アノード並列配線９Ａとカソード並列配線９Ｋのうち少なくとも一方に切替スイッチ３を配設し、その他に並列用ダイオード１０を配設することで、切替スイッチ３によって、複数のコンデンサ２の実際の接続構成は一切変更することなく、各コンデンサ２に流し得る電流を直列→並列、並列→直列に切り替えることが可能となると共に、アノード並列配線９Ａとカソード並列配線９Ｋの一方に切替スイッチ３を配設した分だけ、両方に並列用ダイオード１０を配設した場合より、電圧降下を抑えることが出来る。
【００１１】
更に、タイマー電源配線１３に電源用ダイオード１４を配設することで、複数のコンデンサ２からの放電によりコンデンサ２の電圧が下がった場合においても、タイマー部１１の電源端子１２側からコンデンサ２側へ電流が逆流することを防止でき、タイマー部１１の動作に支障はない。
【００１２】
本発明に係る検電器２０の第１の特徴は、上述した第３の特徴を有した充放電回路１を備え、この充放電回路１から放電される出力電流Ｙを用いて、電路Ｒの通電を検査する検電器であって、前記充放電回路１におけるアノード端外側電極８Ａとカソード端外側電極８Ｋそれぞれに接続された一対のゲート電極２１を備え、この一対のゲート電極２１を前記電路Ｒの通電により生じる電界Ｅ内に位置させた際に、前記一対のゲート電極２１間の電位差による入力電流Ｘを前記複数のコンデンサ２に充電し、前記複数のコンデンサ２から周期的に放電される出力電流Ｙで点滅する発光部２２を備えている点にある。
【００１３】
本発明に係る検電器２０の第２の特徴は、第１の特徴に加えて、前記電路Ｒは交流電路Ｒ’であって、この交流電路Ｒ’から交流電流を直流電流に変換する整流器２３を備え、この整流器２３からの直流電流が、前記入力電流Ｘとして複数のコンデンサ２に充電され、前記複数のコンデンサ２への充電時に切替スイッチ３により前記直列電流状態Ｊ１とされ、前記複数のコンデンサ２からの放電前に切替スイッチ３により前記並列電流状態Ｊ２とされ、前記並列電流状態Ｊ２とされた後に、前記放電スイッチ４により出力電流Ｙの放電を開始する点にある。
【００１４】
これらの特徴により、電路Ｒの通電により生じる電界Ｅ内に位置させたゲート電極２１間からの入力電流Ｘを複数のコンデンサ２に充電し、複数のコンデンサ２から周期的に放電される出力電流Ｙで点滅する発光部２２を備えることで、別の電源を必要しないため、その電源が切れて電圧チェック及び導通チェックが出来ない等の虞は一切なく、更なる「簡素化」が図れる。
これに加えて、発光部２２が消灯している時間が存在する分だけ、発光部２に要する電力を低減できる（「省電力化」）と共に、結果的に発光時間が短くなるため発光部２２が長持ちする（「長寿命化」）。
【００１５】
又、交流電路Ｒ’から交流電流を整流器２３で整流して複数のコンデンサ２に充電し、複数のコンデンサ２の充電時に直列電流状態Ｊ１とし、放電前に並列電流状態Ｊ２とした後に、出力電流Ｙの放電を開始することで、交流電路Ｒ’から整流した高電位の直流電流であっても、充電した後に直列→並列への切替を完了した後、確実に低電位として放電することとなり、交流電路Ｒ’が高圧（例えば、６６００Ｖや２２０００Ｖなど）であっても、発光部２２に過負荷をかけることなく検電が可能となる。
【発明の効果】
【００１６】
本発明に係る充放電回路や検電器によると、複数のコンデンサへの電流の流し方を直列・並列に切替可能な切替スイッチとは別に、複数のコンデンサからの放電を開始する放電スイッチも有することで、「簡素化」等を実現できる。
【図面の簡単な説明】
【００１７】
【図１】本発明の第１実施形態に係る充放電回路、及び、本発明に係る検電器を示す回路図である。
【図２】充放電回路を例示する等価回路図であって、（ａ）は充電時の充放電回路を例示し、（ｂ）は放電時の充放電回路を例示する。
【図３】充放電回路における複数のコンデンサの接続例を示す等価回路図である。
【図４】充放電回路のタイマー部における各信号のタイミングチャートである。
【図５】本発明の第２実施形態に係る充放電回路、及び、本発明に係る検電器を示す回路図である。
【図６】検電器の基板レイアウトを例示する概要図であって、（ａ）は部品面のシルク／レジスト図であり、（ｂ）は部品面のパターン図であり、（ｃ）は半田面のパターン図である。
【図７】検電器の構成部品を例示する概要図であって、（ａ）は分解斜視図であり、（ｂ）は（ａ）中のＭ矢視図である。
【図８】検電器の電路（バスバー）への取付け状態を例示する図面代用写真である。
【発明を実施するための形態】
【００１８】
以下、本発明の実施形態を、図面を参照して説明する。
＜第１実施形態の充放電回路１＞
図１〜４には、本発明の第１実施形態に係る充放電回路１が示されている。
この充放電回路１は、入力電流Ｘを複数のコンデンサ２に充電し、これら複数のコンデンサ２から出力電流Ｙを放電する回路である。
【００１９】
充放電回路１は、複数のコンデンサ２に電流を流し得る状態Ｊ１、Ｊ２を切替可能な切替スイッチ３と、複数のコンデンサ２からの放電を開始する放電スイッチ４を有している。
又、充放電回路１は、直列配線５や中間ダイオード６、アノード並列配線９Ａ、カソード並列配線９Ｋ、並列用ダイオード１０、タイマー部１１、タイマー電源配線１３、電源用ダイオード１４などを有していても良い。
【００２０】
＜コンデンサ２＞
図１〜３に示したように、コンデンサ２は、入力電流Ｘを充電し、出力電流Ｙを放電するものであり、チャージコンデンサ２であるとも言える。
コンデンサ２は複数あり、その個数は、２つや３つ、４つ以上など、複数であれば、何れの値でも良い。
【００２１】
各コンデンサ２に対して、逆方向の電圧を加えた時に定電圧を発生するツェナーダイオードを並列に接続していても良い。
各コンデンサ２の静電容量は、何れの値でも良いが、例えば、公称値で２．２μＦなどであっても良く、又、各コンデンサ２の静電容量が略同じ値でも良いが、異なる値でも構わない。
【００２２】
各コンデンサ２の静電容量は、特に制限はないが、例えば、０．００１μＦ以上１００００．０００μＦ以下であったり、好ましくは０．０１μＦ以上５０００．００μＦ以下、更に好ましくは０．１μＦ以上１０００．００μＦ以下（１００μＦなど）でも良い。
更に、コンデンサ２における電極間には、比誘電率が１より大きい誘電体を挟んでいたり、比誘電率が１の状態（つまり、電極間が真空の状態）であるなど、何れの状態でも構わない。
尚、各コンデンサ２は、幾つかのコンデンサ部材が集まったものでも良い。
【００２３】
＜直列配線５、並列配線９Ａ、９Ｋなど＞
特に図３に示したように、直列配線５は、複数のコンデンサ２が直列に接続された配線であり、この直列配線５は、隣接する２つのコンデンサ２の間それぞれに、アノードからカソードへの順方向を揃えた中間ダイオード６が配設されている。
尚、この中間ダイオード６は、中間ダイオード６だけで独立して１つの素子であるものでも良いが、後述する並列用ダイオード１０と組み合わさったものが、１つの素子となったものでも構わない。
【００２４】
アノード並列配線９Ａは、上述した中間ダイオード６それぞれのアノード側と、そのアノード側に隣接するコンデンサとのアノード・コンデンサ間７Ａそれぞれを、直列配線５の端に位置し且つ中間ダイオード６のカソード側のみに隣接するカソード端コンデンサ２Ｋにおける中間ダイオードとは反対側のカソード端外側電極８Ｋに接続した配線である。
又、カソード並列配線９Ｋは、中間ダイオード６のカソード側と当該カソード側に隣接するコンデンサとのカソード・コンデンサ間７Ｋそれぞれを、直列配線５の端に位置し且つ中間ダイオード６のアノード側のみに隣接するアノード端コンデンサ２Ａにおける中間ダイオードとは反対側のアノード端外側電極８Ａに接続した配線である。
【００２５】
これら２つの並列配線９Ａ、９Ｋのうち一方に、切替スイッチ３が配設され、他方に並列用ダイオード１０が配設されている。
つまり、＜１＞アノード並列配線９Ａに切替スイッチ３が配設され、カソード並列配線９Ｋにカソード・コンデンサ間７Ｋからアノード端外側電極８Ａに向かって順方向に並列用ダイオード１０が配設されている場合、＜２＞カソード並列配線９Ｋに切替スイッチ３が配設され、アノード並列配線９Ａにカソード端外側電極８Ｋからアノード・コンデンサ間７Ａに向かって順方向に並列用ダイオード１０が配設されている場合、又は、＜３＞アノード並列配線９Ａ及びカソード並列配線９Ｋに切替スイッチ３が配設されている場合の３つが存在することとなる。
【００２６】
上述した＜１＞〜＜３＞のうち、特に＜１＞、＜２＞の場合について、コンデンサ２が３つ以上であって各並列配線９Ａ、９Ｋが２つ以上あるケースを、更に詳解する。
１つの充放電回路１において、あるアノード並列配線９Ａ−１には切替スイッチ３が配設され、このアノード並列配線９Ａ−１に隣接した中間ダイオード６−１を挟みその反対側にあるカソード並列配線９Ｋ−１には並列用ダイオード１０が配設されると同時に、また別のアノード並列配線９Ａ−２には逆に並列用ダイオード１０が配設され、そのアノード並列配線９Ａ−２に隣接した中間ダイオード６−２を挟みその反対側にあるカソード並列配線９Ｋ−２には切替スイッチ３が配設されていても、上述の＜１＞、＜２＞の場合に含まれる。
【００２７】
以下同様に、更に別のアノード並列配線９Ａ−３には切替スイッチ３が配設され、その反対側にあるカソード並列配線９Ｋ−３には並列用ダイオード１０が配設されている等、各アノード並列配線９Ａ−３、カソード並列配線９Ｋの組ごとに、上述の＜１＞、＜２＞が混在していても良い。
【００２８】
ここまで述べた直列配線５・並列配線９Ａ、９Ｋとなった複数のコンデンサ２は、その充電時に後述する切替スイッチ３により直列電流状態Ｊ１とされ、その放電前に切替スイッチ３により並列電流状態Ｊ２とされ、並列電流状態Ｊ２とされた後に、放電スイッチ４により出力電流Ｙの放電を開始しても良い。
このような順序で充電・放電した場合には、直列に複数のコンデンサ２を所定の電圧で充電した後、その所定の電圧より低い電圧で並列に複数のコンデンサ２から放電することとなり、入力電流Ｘが充放電回路１を経ることで、その電圧を高圧→低圧に降圧した出力電流Ｙを放電することとなる。
【００２９】
一方、ここまで述べた複数のコンデンサ２が、その充電時に後述する切替スイッチ３により並列電流状態Ｊ２とされ、その放電前に切替スイッチ３により直列電流状態Ｊ１とされ、直列電流状態Ｊ１とされた後に、放電スイッチ４により出力電流Ｙの放電を開始しても良い。
このような順序で充電・放電した場合には、並列に複数のコンデンサ２を所定の電圧で充電した後、その所定の電圧より高い電圧で直列に複数のコンデンサ２から放電することとなり、入力電流Ｘが充放電回路１を経ることで、その電圧を低圧→高圧に昇圧した出力電流Ｙを放電することとなる。
以下、複数のコンデンサ２が、充電時に直列電流状態Ｊ１で、放電時に並列電流状態Ｊ２となる（高圧→低圧となる）場合について、主に述べる。
【００３０】
＜切替スイッチ３＞
図１〜３に示したように、切替スイッチ３は、上述した直列電流状態Ｊ１と並列電流状態Ｊ２とに切替可能なスイッチである。
切替スイッチ３は、状態Ｊ１、Ｊ２を切替可能であれば、何れの構成でも良いが、例えば、並列配線９Ａ、９Ｋを開閉する（ＯＮ（並列配線９Ａ、９Ｋを導通させる）／ＯＦＦ（並列配線９Ａ、９Ｋを非導通とする））ＭＯＳＦＥＴなどのトランジスタ部材であったり、手動等にて並列配線９Ａ、９Ｋを開閉する開閉器であっても良い。
【００３１】
以下、切替スイッチ３は主にＭＯＳＦＥＴであるとして述べる。
切替スイッチ（切替ＭＯＳＦＥＴ）３は、その構成に特に限定はないが、例えば、ＮチャンネルＭＯＳＦＥＴや、ＰチャンネルＭＯＳＦＥＴ等であっても良く、アノード並列配線９Ａ、及び／又は、カソード並列配線９Ｋに配設されていても構わない。
切替ＭＯＳＦＥＴ３がアノード並列配線９Ａに配設されている場合には、例えば、そのゲート（Ｇ）が後述するタイマー部１１からの切替信号Ｋ１の切替出力端子１５に接続され、そのドレイン（Ｄ）が上述したアノード・コンデンサ間７Ａに接続され、そのソース（Ｓ）が上述したカソード端コンデンサ２Ｋのカソード端外側電極８Ｋに接続されていても良い。
【００３２】
一方、切替ＭＯＳＦＥＴ３がカソード並列配線９Ｋに配設されている場合には、例えば、そのゲート（Ｇ）が後述するタイマー部１１からの切替信号Ｋ１の切替出力端子１５に接続されている点は同様であるが、そのドレイン（Ｄ）は上述したカソード・コンデンサ間７Ｋに接続され、そのソース（Ｓ）は上述したアノード端コンデンサ２Ａのアノード端外側電極８Ａに接続されていても良い。
切替スイッチ３は、アノード並列配線９Ａ、及び／又は、カソード並列配線９Ｋに複数配設されている場合には、全ての切替スイッチ３が同時に切り替えを行う構成（そのゲート（Ｇ）が、同一のタイマー部１１からの切替信号Ｋ１の切替出力端子１５に接続されている構成など）であっても良いが、各切替スイッチ３によって状態Ｊ１、Ｊ２の切替に時間差があっても良い。
【００３３】
＜直列電流状態Ｊ１、並列電流状態Ｊ２など＞
図１〜４（特に、図２）に示したように、直列電流状態Ｊ１は、複数のコンデンサ２に電流を直列に流し得る状態であり、並列電流状態Ｊ２は、複数のコンデンサ２に電流を並列に流し得る状態である。
直列電流状態Ｊ１と並列電流状態Ｊ２は、上述した切替スイッチ３によって直列電流状態Ｊ１→並列電流状態Ｊ２や、その逆に、並列電流状態Ｊ２→直列電流状態Ｊ１に切り替えられる。
【００３４】
これらの電流状態Ｊ１、Ｊ２について詳解すれば、並列配線９Ａ、９Ｋにおける切替スイッチ３がＯＦＦである（並列配線９Ａ、９Ｋを導通しない）時には、各コンデンサ２は、直列配線５で接続されるのみであるため、必ず電流は、複数のコンデンサ２を直列にしか流れえない。
よって、切替スイッチ３がＯＦＦである時には、直列電流状態Ｊ１であると言える。
【００３５】
一方、切替スイッチ３がＯＮである（並列配線９Ａ、９Ｋを導通する）時には、各コンデンサ２は、直列配線５だけでなく、並列配線９Ａ、９Ｋによっても接続されているため、電流は、複数のコンデンサ２を直列にだけでなく、並列にも流れ得る。
従って、切替スイッチ３がＯＮである時には、直列電流状態Ｊ１であると同時に並列電流状態Ｊ２であって、このような状態は直並列電流状態Ｊ３とも言える。
【００３６】
尚、この直並列電流状態Ｊ３は、後述する放電スイッチ４がＯＮとなることで、複数のコンデンサ２には、電流が並列にしか流れない状態となるため、切替スイッチ３は、複数のコンデンサ２に電流を並列に流し得る並列電流状態Ｊ２に、切替可能であると言える。
このように、実際にコンデンサ２に流れる電流を左右する放電スイッチ４について、以下に述べる。
【００３７】
＜放電スイッチ４＞
図１〜４に示したように、放電スイッチ４は、複数のコンデンサ２からの出力電流Ｙの放電を開始するスイッチである。
放電スイッチ４も、複数のコンデンサ２からの放電を開始し、且つ、切替スイッチ３とは別に（切替スイッチ３とは別の位置に）配設されていれば良く、例えば、出力電流Ｙを放電させる配線（出力配線）Ｙ’を開閉する（ＯＮ（出力配線Ｙ’を導通させる）／ＯＦＦ（出力配線Ｙ’を非導通とする））ＭＯＳＦＥＴなどのトランジスタ部材であったり、手動等にて出力配線Ｙ’を開閉する開閉器であっても良い。
【００３８】
以下、放電スイッチ４は、主に出力配線Ｙ’に配設されたＭＯＳＦＥＴであるとして述べる。
放電スイッチ（放電ＭＯＳＦＥＴ）４の配設位置について詳解すれば、出力電流Ｙを放電する出力配線Ｙ’において、例えば、出力電流Ｙが供給される負荷（後述の発光部２２など）より低い電位の側（例えば、ＧＮＤ側など）でＯＮ／ＯＦＦする（ローサイドスイッチの）場合でも良く、このとき、ＮチャンネルＭＯＳＦＥＴを放電スイッチ４等としても構わない。
【００３９】
このＮチャンネルＭＯＳＦＥＴ等の放電スイッチ４は、例えば、そのゲート（Ｇ）が所定の素子を介して後述するタイマー部１１からの放電信号Ｋ２の放電出力端子１６に接続され、そのドレイン（Ｄ）が負荷（発光部２２）等に接続され、そのソース（Ｓ）が充放電回路１におけるＧＮＤ（充放電回路１における低電位側の出力配線Ｙ’）に接続されていても良い。
尚、このＧＮＤは、上述したカソード端コンデンサ２Ｋのカソード端外側電極８Ｋに接続されることとなる。
【００４０】
その他、放電スイッチ４の配設位置としては、出力配線Ｙ’において、例えば、負荷（発光部２２など）より高い電位の側でＯＮ／ＯＦＦする（ハイサイドスイッチの）場合でも良く、このとき、ＰチャンネルＭＯＳＦＥＴを放電スイッチ４等としても構わない。
このＰチャンネルＭＯＳＦＥＴ等の放電スイッチ４は、例えば、そのゲート（Ｇ）は、ローサイドスイッチの場合と同様に、所定の素子を介して後述するタイマー部１１からの放電信号Ｋ２の放電出力端子１６に接続されるが、そのドレイン（Ｄ）は負荷（発光部２２）等に接続され、そのソース（Ｓ）が上述したアノード端コンデンサ２Ａのアノード端外側電極８Ａに接続されていても良い。
尚、このアノード端外側電極８Ａは、充放電回路１における高電位側の出力配線Ｙ’となる。
【００４１】
＜タイマー部１１、電源端子１２、タイマー電源配線１３、電源用ダイオード１４など＞
図１、４に示したように、タイマー部１１は、上述した切替スイッチ３による切替と放電スイッチ４による放電開始を周期的に行うものである。
タイマー部１１は、切替スイッチ３による切替と放電スイッチ４による放電開始を周期的に行うのであれば、何れの構成でも良いが、例えば、電源端子（図１中のＶＤＤ端子）１２や、上述した切替信号Ｋ１の切替出力端子（図１中のＷＡＫＥ端子）１５、放電信号Ｋ２の放電出力端子（図１中のＴＣＡＬ端子）１６、そして、負荷（後述する発光部２２など）への放電を停止させる停止信号Ｋ３を入力する停止入力端子（図１中のＤＯＮＥ端子）１７、切替スイッチ３による切替と放電スイッチ４による放電開始の周期（放電周期）Ｔを設定する周期設定端子（図１中のＤ０、Ｄ１、Ｄ２端子）１８などを有していても良い。
【００４２】
タイマー電源配線１３は、上述したタイマー部１１の電源端子１２を、上述した直列配線５におけるカソード端コンデンサ２Ｋと、そのカソード端コンデンサ２Ｋに隣接する中間ダイオード６とのダイオード・コンデンサ間７Ｄに接続した配線である。
このタイマー電源配線１３には、ダイオード・コンデンサ間７Ｄから電源端子１２に向かって順方向に電源用ダイオード１４が配設されている。
【００４３】
＜放電周期Ｔ＞
図１に示したように、上述した周期設定端子１８は、それぞれに「０（Ｌ：ロー）」か「１（Ｈ：ハイ）」の電位を入力させることで、切替信号Ｋ１や放電信号Ｋ２の出力（より詳しくは、切替信号Ｋ１や放電信号Ｋ２における「Ｌ」・「Ｈ」の変化）をする放電周期Ｔを所定の値（１秒、２秒、４秒、８秒、１０秒、１６秒、３２秒、６４秒など）に設定することが出来る。
例えば、周期設定端子１８におけるＤ２端子に「０」、Ｄ１端子に「０」、Ｄ０端子に「０」の電位を入力すると、放電周期Ｔを１秒に設定でき、又、Ｄ２端子に「０」、Ｄ１端子に「０」、Ｄ０端子に「１」の電位を入力すると、放電周期Ｔを２秒に設定できる構成であっても良い。
【００４４】
このような「０」、「１」電位の各周期設定端子１８への入力は、例えば、Ｄ０端子を「０」の電位にするのであれば、このＤ０端子と上述したタイマー電源配線１３をＮＭΩの抵抗（例えば、何ＭΩなど十分に大きな抵抗）を介して接続し、且つ、Ｄ０端子と上述したＧＮＤを０Ωの抵抗を介して（又は、抵抗なしの配線のみで）接続することで構成する。
同様に、Ｄ１端子を「０」の電位にするのであれば、Ｄ１端子とタイマー電源配線１３をＮＭΩの抵抗（例えば、何ＭΩなど十分に大きな抵抗）を介して接続し、且つ、Ｄ１端子とＧＮＤを０Ωの抵抗を介して（又は、抵抗なしの配線のみで）接続することで構成すれば良く、Ｄ２端子を「０」の電位にするのであれば、Ｄ２端子とＧＮＤを抵抗なしの配線のみで接続することで構成することとなる。
【００４５】
＜切替信号Ｋ１、放電信号Ｋ２、停止信号Ｋ３のタイミングチャート＞
図４には、タイマー部１１における各信号のタイミングチャートが示されている。
これらの信号のうち、切替信号Ｋ１は、上述した切替出力端子１５から出力され、切替スイッチ３（図１中のＱ１〜Ｑ３）に入力される。
この切替信号Ｋ１は、当初は「Ｌ（又は、０）」の電位によって、切替スイッチ３をＯＦＦとしている状態（複数のコンデンサ２における直列電流状態Ｊ１）であるが、上述した放電周期Ｔごとに、「Ｈ（又は、１）」の電位に立ち上がることで、切替スイッチ３をＯＮとしている状態（複数のコンデンサ２における並列電流状態Ｊ２（又は、直並列電流状態Ｊ３））とする。
【００４６】
放電信号Ｋ２は、上述した放電出力端子１６から出力され、所定の素子を介して、放電スイッチ（放電ＭＯＳＦＥＴ等）４の端子（ゲート（Ｇ））などに入力される。
この放電信号Ｋ２も、当初は「Ｌ（又は、０）」の電位によって、放電スイッチ４をＯＦＦとしている状態であるが、上述した切替信号Ｋ１の「Ｌ」→「Ｈ」への立上りから、所定のディレイ時間（例えば、約８ｍＳｅｃ）Ｂ後に、「Ｈ（又は、１）」の電位に立ち上がることで、放電スイッチ４をＯＮとして、充放電回路１の出力配線Ｙ’から負荷（発光部２２など）へ、複数のコンデンサ２からの出力電流Ｙを放電させても良い。
【００４７】
この場合、タイマー部１１は、複数のコンデンサ２からの放電前に切替スイッチ３にて並列電流状態Ｊ２とし、並列電流状態Ｊ２とした後に、放電スイッチ４により出力電流Ｙの放電を開始している。
これにより、充電した後に直列→並列への切替を完了した後、確実に低電位として放電することとなり、交流電路Ｒ’が高圧（例えば、６６００Ｖや２２０００Ｖなど）であっても、発光部２２に過負荷をかけることが抑制され、又、負荷（発光部２２など）に中途半端に出力電流Ｙが放電されることを防止している。  
尚、充放電回路１は、入力電流Ｘがコンデンサ２に流入しないようにするスイッチ（充電可否スイッチ等）を有していない場合には、コンデンサ２からの放電時にも、各コンデンサ２の電圧によっては、入力電流Ｘがコンデンサ２に流入することになるとも言える。
【００４８】
停止信号Ｋ３は、上述した放電出力端子１６から出力された放電信号Ｋ２が、所定の時定数τを持つＲＣ回路１９等を経て、停止入力端子１７に入力される。
このＲＣ回路１９は、直列に接続された抵抗（図１中のＲ１０とＲ１１）とコンデンサ（図１中のＣ６）で構成され、この抵抗とコンデンサの間と停止入力端子１７を所定の抵抗（図１中のＲ１２）を介して接続することで、停止信号Ｋ３（放電信号Ｋ２の積分波形とも言える）が停止入力端子１７に入力される。
【００４９】
入力される停止信号Ｋ３も、当初は「Ｌ（又は、０）」の電位であるが、放電信号Ｋ２がＲＣ回路１９を経て入力されると、このＲＣ回路１９の時定数τに従って電位が上がり、停止信号Ｋ３の電位が、タイマー部１１の電源端子１２の電位（電源電位、電源電圧）の半分（１／２）程度になった（「Ｈ」になった）と、タイマー部１１で判定されると、タイマー部１１は、上述の切替信号Ｋ１と放電信号Ｋ２の電位を「Ｌ（又は、０）」とする。
この電位の変化は、上述したＲＣ回路１９の時定数τに従って調整が出来、その時定数τは、ＲＣ回路１９の抵抗値（例えば、１．０ＭΩ＋２２０ｋΩ＝１．２２ＭΩなど）と静電容量（例えば、１ｎＦなど）の積から、所定の値（例えば、１．２２ＭΩ×２．２ｎＦ＝２．６８４μＳｅｃ）が求められる。
【００５０】
尚、停止信号Ｋ３の電位が電源電圧の半分程度になるまでの時間、つまり、負荷への放電時間（放電している時間、具体例としては、放電する発光部２２が発光している発光時間）Ｔ’は、上述の時定数τにｌｎ２（＝ｌｏｇe ２、ｅは自然対数の底）をかけた値（例えば、２．６８４μＳｅｃ×ｌｏｇe ２＝２．６８４μＳｅｃ×０．６９３１４７・・・＝１．８６０・・・≒１．８６ｍＳｅｃであり、ｌｎ２をかけることから、「Ｈ」電位に対しての半減期とも言える）が目安となる。
この放電時間（発光時間）Ｔ’は、負荷（発光部２２など）へコンデンサ２（特に、カソード端コンデンサ２Ｋ）から出力電流Ｙを放電している間は、タイマー部１１の電源電圧が低下するとも言え、時定数τ×ｌｎ２の目安より短い場合（例えば、１．６４ｍＳｅｃなど）もある。
よって、このＲＣ回路１９における抵抗値と静電容量を変えることによって、意図する時定数τ（つまり、意図する放電時間Ｔ’）とすることが可能となる。
【００５１】
このような放電時間Ｔ’を経て、停止信号Ｋ３が「Ｈ」と判定され、切替信号Ｋ１と放電信号Ｋ２が「Ｌ」となることで、切替スイッチ３はＯＦＦとなって複数のコンデンサ２が直列電流状態Ｊ１に切り替えられると同時に、放電スイッチ４もＯＦＦとなって複数のコンデンサ２からの出力電流Ｙの放電を停止させる。
直列電流状態Ｊ１への切替と放電停止によって、充放電回路１は、再び入力電流Ｘを、直列に電流が流れる複数のコンデンサ２に充電開始する。
【００５２】
ここまで述べたように、タイマー部１１は、切替信号Ｋ１、放電信号Ｋ２及び停止信号Ｋ３の変化、及び、所定の放電時間Ｔ’の放電を、上述した放電周期Ｔごとに繰り返す。
その他、タイマー部１１は、ＧＮＤ端子（図１中のＧＮＤ端子）、当該タイマー部１１が正常に駆動可能な電源電圧がきているかを判断する電源判断端子（図１中のＰＧＯＯＤ端子）、リセット端子（図１中のＲＳＴ端子）なども有していても良い。
【００５３】
これらの端子のうち、ＧＮＤ端子は、ＧＮＤ（充放電回路１における低電位側の出力配線Ｙ’であり、カソード端コンデンサ２Ｋのカソード端外側電極８Ｋ）に接続される。
電源判断端子は、上述したタイマー電源配線１３における電源端子１２と電源用ダイオード１４との間と接続されている。
リセット端子は、特に何れとも接続されていなくとも良い。
【００５４】
尚、タイマー部１１の電源端子１２と、上述したＧＮＤ（カソード端外側電極８Ｋ）の間には、コンデンサ（図１中のＣ５）が接続され、ノイズ除去等を行う。
又、タイマー部１１の切替出力端子１５と、切替スイッチ（切替ＭＯＳＦＥＴ等）３のゲート（Ｇ）との間に、抵抗（ゲート抵抗、図１中のＲ２）を配設していても良い。
更に、タイマー部１１の放電出力端子１６と、放電スイッチ（放電ＭＯＳＦＥＴ等）４のゲート（Ｇ）との間に、抵抗（ゲート抵抗、図１中のＲ９）を配設していても良い。
【００５５】
＜第２実施形態の充放電回路１＞
図５には、本発明の第２実施形態に係る充放電回路１が示されている。
この第２実施形態において第１実施形態と最も異なるのは、コンデンサ２の個数が２つである点である。
【００５６】
又、個数だけでなく、第２実施形態のコンデンサ２それぞれは、幾つかのコンデンサ部材が集まったものであり、より具体的には、当該コンデンサ２は、複数のコンデンサ部材を並列接続したもの（図５中のＣ１とＣ２や、Ｃ３とＣ４など）を１つとしている。
従って、１つのコンデンサ２としての静電容量は、それを構成する各コンデンサ部材の静電容量の２倍（例えば、公称値で２．２μＦのコンデンサ部材２個の合計４．４μＦなど）となる。
尚、並列接続されるコンデンサ部材の個数は、２つではなく、３つ以上であっても良い。
【００５７】
又、第２実施形態において第１実施形態と異なる点としては、直列配線５における中間ダイオード６の個数が１つである点や、アノード並列配線９Ａ及びカソード並列配線９Ｋの本数がそれぞれ１つである点もある。
その他、第２実施形態のタイマー部１１は、第１実施形態とは異なり、周期設定端子１８におけるＤ２端子に「０」、Ｄ１端子に「１」、Ｄ０端子に「０」の電位を入力して、放電周期Ｔを４秒に設定している。
【００５８】
このような「０」、「１」電位の各周期設定端子１８への入力は、例えば、Ｄ０端子を「０」の電位にするのであれば、このＤ０端子と上述したタイマー電源配線１３をＮＭΩの抵抗（例えば、何ＭΩなど十分に大きな抵抗）を介して接続し、且つ、Ｄ０端子と上述したＧＮＤを０Ωの抵抗を介して（又は、抵抗なしの配線のみで）接続することで構成する。
又、Ｄ１端子を「１」の電位にするのであれば、Ｄ１端子とタイマー電源配線１３は０Ωの抵抗を介して（又は、抵抗なしの配線のみで）接続し、且つ、Ｄ１端子とＧＮＤをＮＭΩの抵抗（例えば、何ＭΩなど十分に大きな抵抗）を介して接続することで構成すれば良く、Ｄ２端子を「０」の電位にするのであれば、Ｄ２端子とＧＮＤを抵抗なしの配線のみで接続することで構成することとなる。
その他の充放電回路１の構成、作用効果及び使用態様は、第１実施形態と同様である。
【００５９】
＜検電器２０＞
図１〜８に示したように、検電器２０は、第１、２実施形態等の充放電回路１を備え、この充放電回路１から放電される出力電流Ｙを用いて、電路Ｒの通電を検査するものである。
検電器２０は、充放電回路１におけるアノード端外側電極８Ａとカソード端外側電極８Ｋそれぞれに接続された一対のゲート電極２１と、充放電回路１における複数のコンデンサ２から周期的に放電される出力電流Ｙで点滅する発光部２２を備えている。
【００６０】
その他、検電器２０は、後述するように、電路Ｒが交流電路Ｒ’であれば、交流電流を直流電流に変換する整流器２３を備えていても良い。
又、このような検電器２０が通電の検査をする電路Ｒについて、まず詳解する。
【００６１】
＜電路Ｒ（交流電路Ｒ’）、電界Ｅなど＞
図１、８に示したように、電路Ｒは、電流の通路、又は、電気回路であって、検電器２０に導通されて、電流が流れているか（通電しているか）を検査されるものであって、銅、アルミニウム、銀、金、ニクロム等の導体や、この導体を絶縁物で覆ったケーブル、一般的な電線などを含む。
電路Ｒに流れる電流は、交流電流、直流電流の何れでも良く、交流電流が流れる電路を交流電路Ｒ’とし、直流電路が流れる電路を直流電路Ｒ”とする。
【００６２】
電路Ｒは、電流が流れるのであれば、何れの構成でも良いが、例えば、交流電路Ｒ’としては、太陽光発電プラント（太陽光発電所）の配電盤内において、所定の電圧（例えば、高圧であれば６６００Ｖや２２０００Ｖなど、低圧であっても１００Ｖ〜２００Ｖなど）の三相ケーブル（そのうちの１本や２本）や、バスバーでも良い（図１、５、８参照）。
尚、図８に示したように、配電盤内は薄暗く、更にカバー越しであれば、交流電路Ｒ’の位置が確認しにくいが、検電器２０の発光部２２によって、使用者に容易に通電している状態を示せる。
その他の交流電路Ｒ’の例としては、商用電源として家屋、建物に設けられたコンセントやブレーカーをはじめ、送電設備などであっても良い。
【００６３】
一方、直流電路Ｒ”の例としては、太陽光発電プラントにおいて、多数の太陽電池パネルや、これらの太陽電池パネルを複数直列に繋げた多数の太陽電池ストリングや、これらの太陽電池ストリングを複数本纏める接続箱における直流ケーブルでも良い。
その他の直流電路Ｒ”の例としては、直流電流が流れる電化製品をはじめ、デスクトップ型やノート型などのコンピュータ、オフィス機器、各種端末などであっても良い。
以下では、電路Ｒは、交流電路Ｒ’（特に、６６００Ｖや２２０００Ｖの三相ケーブル）であるとして述べる。
【００６４】
＜一対のゲート電極２１（ゲートコンデンサ２１’）＞
図１、５〜７に示したように、一対のゲート電極２１は、充放電回路１におけるアノード端外側電極８Ａとカソード端外側電極８Ｋそれぞれに接続された一対の電極であって、これらゲート電極２１でゲートコンデンサ２１’を構成する。
一対のゲート電極２１は、上述した電路Ｒ（交流電路Ｒ’等）の通電により生じる電界Ｅ内に位置させた際に、当該一対のゲート電極２１間の電位差が生じる。
一対のゲート電極２１は、交流電路Ｒ’等の通電により生じる電界Ｅ内で、その間に電位差を生じるのであれば、検電器２０の何れに設けられていても良いが、例えば、充放電回路１の基板２４を内蔵するケーシング３０のカバー（蓋、前面）３１側と、ケーシング３０で基板２４を支持するシャーシ３２背面側に、それぞれのゲート電極２１が設けられていても良い。
【００６５】
カバー３１側のゲート電極２１（２１ａ）は、カバー３１の内側に取り付けたカバー側金属（鉄、銅、アルミニウム、銀、金、ニクロム等）プレート（図示せず）であったり、銅やニッケル等の導電性の素材を含む導電塗料をカバー３１内側に塗布したもの等であっても良い。
カバー３１側のゲート電極２１ａは、充放電回路１におけるアノード端外側電極８Ａ、又は、カソード端外側電極８Ｋに、ゲート接触子（例えば、ポリウレタンフォームに導電布を巻付けたガスケットなど）２５を介して接続されても良い。
【００６６】
一方、シャーシ３２背面側のゲート電極２１（２１ｂ）は、シャーシ３２背面側に設けた背面側金属（鉄、銅、アルミニウム、銀、金、ニクロム等）プレート３３であったり、こちらも導電塗料をシャーシ３２内側に塗布したもの等であっても良い。
シャーシ３２背面側のゲート電極２１ｂは、充放電回路１におけるカソード並列配線９Ｋとアノード端外側電極８Ａのうち、カバー３１側のゲート電極２１ａと接続されていない方の端外側電極８Ｋ、８Ａに、ゲート電極配線２６を介して接続されても良い。
【００６７】
このゲート電極配線２６は、充放電回路１の基板２４における部品面（表面）２４ａ側から貫通孔２４ｃを通って半田面（裏面）２４ｂ側へ配線され、配線端子２６ａを介して、シャーシ３２背面側のゲート電極２１ｂ（金属プレート３３など）に接続していても良い。
尚、充放電回路１の各コンデンサ２や各スイッチ３、４、各配線５、１０、１３、各ダイオード６、１０、１４、タイマー部１１、ＲＣ回路１９、後述するその他の抵抗部材、ダイオード部材、雷サージ保護素子は、基板２４の部品面（表面）２４ａ側に配設される。
又、基板２４とシャーシ３２や、シャーシ３２と背面側金属プレート３３は、両面テープ３４にて貼り付けられていても良く、シャーシ３２とカバー３１は、所定数のネジ３５によって留められても良い。
【００６８】
カバー３１側のゲート電極２１と、シャーシ３２背面側のゲート電極２１の間の距離は、特に限定はないが、所定値（例えば、１０ｍｍなど）以上であっても良い。
一対のゲート電極２１の間には、ケーシング３０に内蔵される充放電回路１や基板２４等があるが、その他は、空洞（空気）であっても良い。
一対のゲート電極２１間（ゲートコンデンサ２１’）の静電容量は、特に制限はないが、例えば、０．００５ｐＦ以上５００００．０００ｐＦ以下であったり、好ましくは０．０１ｐＦ以上１００００．００μＦ以下、更に好ましくは０．１ｐＦ以上１０００．００ｐＦ以下（０．５ｐＦや４ｐＦ、２０ｐＦ、１００ｐＦ、２００ｐＦ、２５０ｐＦなど）でも良い。
【００６９】
＜発光部２２＞
図１、２、４、５、７、８に示されたように、発光部２２は、電路Ｒ（交流電路Ｒ’等）が通電している状態を、光で表すものである（図１、５中においては、ＬＥＤ１で表される）。
発光部２２は、交流電路Ｒ’等が通電している状態を光の点滅で表すなど、何れの構成であっても良い。
【００７０】
発光部２２は、具体的には、発光ダイオード（ＬＥＤ）や有機ＥＬ（有機エレクトロルミネッセンス）、ネオンランプの他、発光するものであれば、ハロゲンランプ、白熱電球、蛍光ランプ（蛍光灯）、水銀ランプ（水銀灯）等の放電灯であっても良い。
以下は、発光部２２が主に発光ダイオードであるとして述べる。
【００７１】
発光部２２は、上述した充放電回路１によって、所定の放電周期（発光周期とも言える）Ｔで発光（点灯）する構成でも良く、この発光周期Ｔに対する放電時間（発光時間）Ｔ’のデューティ比Ｄ（つまり、デューティ比Ｄ＝（発光時間Ｔ’）÷（発光周期Ｔ））が、０．０００００１以上０．５０００００以下であっても良い。
尚、発光部２２は、検電器２０のケーシング３０に内蔵される際に、レンズ３６を被せられていても良く、このレンズ３６とケーシング３０のカバー３１は、互いに両面テープ３４で貼り付けられていても良い。
【００７２】
＜整流器２３＞
図１、２、５に示されたように、整流器２３は、交流電路Ｒ’から交流電流を直流電流に変換するものである（図１中においてはＤ１及びＤ１０、図５中においてはＤ１及びＤ７で表される）。
整流器２３は、交流電路Ｒ’から交流電流を直流電流に変換できるのであれば、何れの構成でも良いが、例えば、２つのダイオード部材と組み合わさって１つの素子となったものを２つ用いても構わない。
【００７３】
＜検電器２０の使用＞
検電器２０の使用に際しては、ケーシング３０の背面側を、電路Ｒに近接・接近させた状態で、ケーシング３０の一端部（下部）を貫通する取付孔３７に対して、ボルト・ワッシャ・ナット・金具等の固定手段を用いて、電路Ｒに取り付けても良い。
又、ケーシング３０の一端部に溝（図示せず）を形成し、この溝に沿わせるホースバンドや結束バンド等を用いて、検電器２０を電路Ｒに取り付けても良い。
【００７４】
＜検電器２０のその他の部材＞
図１、５に示したように、検電器２０は、上述した充放電回路１や、その複数のコンデンサ（チャージコンデンサ）２、切替スイッチ３、放電スイッチ４、直列配線５、中間ダイオード６、並列配線９Ａ、９Ｋ、並列用ダイオード１０、タイマー部１１、タイマー電源配線１３、電源用ダイオード１４、一対のゲート電極２１（ゲートコンデンサ２１’）、発光部２２、整流器２３等の他に、抵抗部材、ダイオード部材、雷サージ保護素子などを有していても良く、以下に例示する。
【００７５】
抵抗部材（図１中においてはＲ３、Ｒ６、Ｒ１３で、図５中においてはＲ２、Ｒ５、Ｒ１２）は、それぞれ役割を有していても良いが、例えば、図１中のＲ３（図５中ではのＲ２）は発光部２２（ＬＥＤ１）の電流制限抵抗であると言え、図１中のＲ６（図５中ではのＲ５）は、テストポイント（図１、５中のＴＰ５）で監視するための電流制限抵抗であると言える。尚、図１、５中のＴＰ１〜７はテストポイント１〜７との意味である。
ダイオード部材である図１中のＤ９（図５中のＤ６）は、発光部２２を逆接続するための保護と、発光部２２がＯＦＦ時に逆起電力を防止するためのものと言える。
図１中のＲ１３やＺ１（図５中ではのＲ１２やＺ１）は、雷保護用素子であって、まずＲ１３の抵抗部材は、整流器２３以降の回路に瞬時に高電圧が印加されるのを防止すると言え、Ｚ１の雷サージ保護素子は、整流器２３の内部抵抗で端子間の電圧が増加した際、アースへ電流を流し端子電圧の上昇を防止すると言える。
【００７６】
＜その他＞
本発明は、前述した実施形態に限定されるものではない。充放電回路１、検電器２０等の各構成又は全体の構造、形状、寸法などは、本発明の趣旨に沿って適宜変更することが出来る。
充放電回路１は、コンデンサ２からの放電時に、入力電流Ｘがコンデンサ２に流入しないようにするスイッチ（充電可否スイッチなど）を有していても良い。
【００７７】
複数のコンデンサ２が、主に上述した場合とは逆に、充電時に並列電流状態Ｊ２で、放電時に直列電流状態Ｊ１となる（低圧→高圧となる）場合には、上述の充放電回路１において出力配線Ｙ’だった側が入力配線Ｘ’側となり、充放電回路１において入力配線Ｘ’だった側は出力配線Ｙ’側となる。
複数のコンデンサ２が、充電時に並列電流状態Ｊ２で、放電時に直列電流状態Ｊ１となる場合には、直列配線５における中間ダイオード６のうち何れか１つが切替スイッチ３となり、並列配線９Ａ、９Ｋにおける切替スイッチ３は並列用ダイオード１０となる。
この場合には、アノード端コンデンサ２Ａのアノード端外側電極８Ａ側が、ＧＮＤ側となり、放電スイッチ４がローサイドスイッチであれば、ＮチャンネルＭＯＳＦＥＴでの放電スイッチ４は、そのゲート（Ｇ）やドレイン（Ｄ）は、上述通りに接続されるが、そのソース（Ｓ）は、充放電回路１における高電位側の出力配線Ｙ’であるアノード端外側電極８Ａに接続される。
【００７８】
一方、複数のコンデンサ２が、充電時に並列電流状態Ｊ２で、放電時に直列電流状態Ｊ１となる場合には、放電スイッチ４がハイサイドスイッチであれば、ＰチャンネルＭＯＳＦＥＴでの放電スイッチ４は、そのゲート（Ｇ）やドレイン（Ｄ）は、上述通りに接続されるが、そのソース（Ｓ）は、充放電回路１におけるＧＮＤ側の出力配線Ｙ’であるカソード端外側電極８Ｋに接続される。
更に、この場合には、タイマー電源配線１３は、タイマー部１１の電源端子１２を、上述した直列配線５におけるアノード端コンデンサ２Ａと、当該コンデンサ２Ａに隣接する中間ダイオード６とのダイオード・コンデンサ間７Ｄを接続した配線であり、このタイマー電源配線１３に、上述と同様の順方向に電源用ダイオード１４が配設される。
【００７９】
コンデンサ２の個数は、上述したように、複数であれば、２つや３つ、４つ以上でも良く、図１においては、コンデンサ２は４つ（図１中のＣ１〜Ｃ４）であるが、これらのコンデンサ２を３つとする場合（図１中のＡにて示した点線内を削除する場合）には、Ｃ１のコンデンサ２（直列配線５におけるアノード端コンデンサ２Ａ）とこれに並列接続しているツェナーダイオード（図１中のＤ２）、Ｑ１の切替スイッチ３、Ｄ３のダイオード（アノード端コンデンサ２Ａに隣接する中間ダイオード６と、並列用ダイオード１０）を実装せずとも良い。
【００８０】
尚、この場合、図１中のＲ１の抵抗値を０Ωとする（つまり、実質的には、抵抗なしの配線のみとする）。
このＲ１について更に言及すれば、図１においては、コンデンサ２が４つである場合には、このＲ１の抵抗値を十分に大きな抵抗（例えば、何ＭΩなど）としても良い（つまり、実質的には、このＲ１によって導通させなくとも良い）。
その他、充放電回路１は入力電流Ｘが入力されなくなった際（検電器２０が通電している電路Ｒ（交流電路Ｒ’等）の電界Ｅから離れた際など）には、複数のコンデンサ２から出力電流Ｙが放電され続け、所定時間後（例えば、約１０秒後）に、各コンデンサ２に充電された電荷が０（ゼロ）となる（放電し切る）ものとしても良い。
【００８１】
＜碍子４０＞
図８に示したように、検電器２０は、碍子４０に取り付けられていても良い。
このとき、一対のゲート電極２１（ゲートコンデンサ２１’）は、碍子４０に内蔵されることとなり、そのゲート電極２１間には、比誘電率が１より大きい誘電体（エポキシ樹脂やＰＥＴ樹脂、ナイロン樹脂等の合成樹脂、石英ガラス、陶磁器などの素材）を挟むこととなる。
【００８２】
このように、ゲートコンデンサ２１’を碍子４０に内蔵し、碍子４０に検電器２０を取り付けることで、交流電路Ｒ’において取り付けられる碍子と検電器を兼用でき、省スペース化が図れる。
碍子４０は、電路Ｒ（交流電路Ｒ’等）と支持物の間を絶縁し、ゲートコンデンサ２１’を内蔵するものであれば、何れの構成でも良い。
尚、ゲートコンデンサ２１は、そのゲート電極２１ａ、２１ｂのうち、低電位側（電路Ｒ側でない側）だけが、充放電回路３１の高電位側（例えば、一方の入力配線Ｘａ’）に接続されており、充放電回路３１の低電位側（例えば、他方の入力配線Ｘｂ’）は接地（ＧＮＤに接地）されている。
【００８３】
検電器２０は、通電の状態を検査（検電）する電路Ｒ（交流電路Ｒ’や直流電路Ｒ”）に後付け可能な構成としたり、又、電路Ｒの製造当初から取り付けていても良い。
検電器２０は、一旦、電路Ｒに取り付けた後は、そのまま付けたままで、常に検電を行う構成としたり、検電する時だけ取り付ける構成としても良い。
又、電路Ｒが直流電路Ｒ”であれば、検電器２０において、上述した整流器２３は不要となる。
【産業上の利用可能性】
【００８４】
本発明に係る充放電回路は、検電器をはじめ、太陽光発電における監視・制御装置の電源回路や、その他、従来では利用することができなかった、電路などからの無駄な又は邪魔な発生電圧を、高電圧・低電圧を問わず、意図する電圧等に変換し、例えば、ウェアラブルコンピューティング（身体装着可能なコンピュータを利用すること）の電力供給源などにも利用可能である。
又、本発明に係る検電器は、太陽光発電プラントをはじめ、送電設備や、各家庭用、オフィス、工場において、電路が交流か直流か、電位の高低、碍子の有無、取付位置も問わず、利用可能である。
【符号の説明】
【００８５】
１      充放電回路
２      コンデンサ（チャージコンデンサ）
２Ａ    アノード端コンデンサ
２Ｋ    カソード端コンデンサ
３      切替スイッチ
４      放電スイッチ
５      直列配線
６      中間ダイオード
７Ａ    アノード・コンデンサ間
７Ｋ    カソード・コンデンサ間
７Ｄ    ダイオード・コンデンサ間
８Ａ    アノード端外側電極
８Ｋ    カソード端外側電極
９Ａ    アノード並列配線
９Ｋ    カソード並列配線
１０    並列用ダイオード
１１    タイマー部
１２    タイマー部の電源端子
１３    タイマー電源配線
１４    電源用ダイオード
２０    検電器
２１    ゲート電極
２２    発光部
２３    整流器
Ｘ      入力電流
Ｙ      出力電流
Ｊ１    複数のコンデンサに電流を直列に流す状態
Ｊ２    複数のコンデンサに電流を並列に流す状態
Ｒ      電路
Ｒ’    交流電路
Ｅ      電界
【図１】
2018191462.tif 000003
【図２】
2018191462.tif 000004
【図３】
2018191462.tif 000005
【図４】
2018191462.tif 000006
【図５】
2018191462.tif 000007
【図６】
2018191462.tif 000008
【図７】
2018191462.tif 000009
【図８】
2018191462.tif 000010
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
入力電流（Ｘ）を複数のコンデンサ（２）に充電し、これら複数のコンデンサ（２）から出力電流（Ｙ）を放電する充放電回路であって、
前記複数のコンデンサ（２）に電流を直列に流し得る直列電流状態（Ｊ１）と、前記複数のコンデンサ（２）に電流を並列に流し得る並列電流状態（Ｊ２）とに切替可能な切替スイッチ（３）を有し、
この切替スイッチ（３）とは別に、前記複数のコンデンサ（２）からの出力電流（Ｙ）の放電を開始する放電スイッチ（４）も有し、
前記複数のコンデンサ（２）を直列に接続した直列配線（５）を有し、
この直列配線（５）は、隣接する２つのコンデンサ（２）の間それぞれに、アノードからカソードへの順方向を揃えた中間ダイオード（６）が配設され、
前記中間ダイオード（６）のアノード側と当該アノード側に隣接するコンデンサとのアノード・コンデンサ間（７Ａ）それぞれを、前記直列配線（５）の端に位置し且つ中間ダイオード（６）のカソード側のみに隣接するカソード端コンデンサ（２Ｋ）における中間ダイオードとは反対側のカソード端外側電極（８Ｋ）に接続したアノード並列配線（９Ａ）と、
前記中間ダイオード（６）のカソード側と当該カソード側に隣接するコンデンサとのカソード・コンデンサ間（７Ｋ）それぞれを、前記直列配線（５）の端に位置し且つ中間ダイオード（６）のアノード側のみに隣接するアノード端コンデンサ（２Ａ）における中間ダイオードとは反対側のアノード端外側電極（８Ａ）に接続したカソード並列配線（９Ｋ）とを有し、
前記アノード並列配線（９Ａ）に前記切替スイッチ（３）が配設され、前記カソード並列配線（９Ｋ）に前記カソード・コンデンサ間（７Ｋ）からアノード端外側電極（８Ａ）に向かって順方向に並列用ダイオード（１０）が配設されている、
前記カソード並列配線（９Ｋ）に前記切替スイッチ（３）が配設され、前記アノード並列配線（９Ａ）に前記カソード端外側電極（８Ｋ）からアノード・コンデンサ間（７Ａ）に向かって順方向に並列用ダイオード（１０）が配設されている、又は、
前記アノード並列配線（９Ａ）及びカソード並列配線（９Ｋ）に前記切替スイッチ（３）が配設されていることを特徴とする充放電回路。
【請求項２】
前記切替スイッチ（３）による切替と前記放電スイッチ（４）による放電開始を周期的に行うタイマー部（１１）を有し、
このタイマー部（１１）の電源端子（１２）を、前記カソード端コンデンサ（２Ｋ）又はアノード端コンデンサ（２Ａ）と当該コンデンサ（２Ｋ、２Ａ）に隣接する中間ダイオード（６）とのダイオード・コンデンサ間（７Ｄ）に接続したタイマー電源配線（１３）を有し、
このタイマー電源配線（１３）に、前記ダイオード・コンデンサ間（７Ｄ）から電源端子（１２）に向かって順方向に電源用ダイオード（１４）が配設されていることを特徴とする請求項１に記載の充放電回路。
【請求項３】
請求項２に記載の充放電回路（１）を備え、この充放電回路（１）から放電される出力電流（Ｙ）を用いて、電路（Ｒ）の通電を検査する検電器であって、
前記充放電回路（１）におけるアノード端外側電極（８Ａ）とカソード端外側電極（８Ｋ）それぞれに接続された一対のゲート電極（２１）を備え、
この一対のゲート電極（２１）を前記電路（Ｒ）の通電により生じる電界（Ｅ）内に位置させた際に、前記一対のゲート電極（２１）間の電位差による入力電流（Ｘ）を前記複数のコンデンサ（２）に充電し、
前記複数のコンデンサ（２）から周期的に放電される出力電流（Ｙ）で点滅する発光部（２２）を備えていることを特徴とする検電器。
【請求項４】
前記電路（Ｒ）は交流電路（Ｒ’）であって、
この交流電路（Ｒ’）から交流電流を直流電流に変換する整流器（２３）を備え、
この整流器（２３）からの直流電流が、前記入力電流（Ｘ）として複数のコンデンサ（２）に充電され、
前記複数のコンデンサ（２）への充電時に切替スイッチ（３）により前記直列電流状態（Ｊ１）とされ、前記複数のコンデンサ（２）からの放電前に切替スイッチ（３）により前記並列電流状態（Ｊ２）とされ、
前記並列電流状態（Ｊ２）とされた後に、前記放電スイッチ（４）により出力電流（Ｙ）の放電を開始することを特徴とする請求項３に記載の検電器。
【手続補正２】
【補正対象書類名】明細書
【補正対象項目名】０００６
【補正方法】変更
【補正の内容】
【０００６】
本発明に係る充放電回路１は、入力電流Ｘを複数のコンデンサ２に充電し、これら複数のコンデンサ２から出力電流Ｙを放電する充放電回路であって、前記複数のコンデンサ２に電流を直列に流し得る直列電流状態Ｊ１と、前記複数のコンデンサ２に電流を並列に流し得る並列電流状態Ｊ２とに切替可能な切替スイッチ３を有し、この切替スイッチ３とは別に、前記複数のコンデンサ２からの出力電流Ｙの放電を開始する放電スイッチ４も有し、前記複数のコンデンサ２を直列に接続した直列配線５を有し、この直列配線５は、隣接する２つのコンデンサ２の間それぞれに、アノードからカソードへの順方向を揃えた中間ダイオード６が配設され、前記中間ダイオード６のアノード側と当該アノード側に隣接するコンデンサとのアノード・コンデンサ間７Ａそれぞれを、前記直列配線５の端に位置し且つ中間ダイオード６のカソード側のみに隣接するカソード端コンデンサ２Ｋにおける中間ダイオードとは反対側のカソード端外側電極８Ｋに接続したアノード並列配線９Ａと、前記中間ダイオード６のカソード側と当該カソード側に隣接するコンデンサとのカソード・コンデンサ間７Ｋそれぞれを、前記直列配線５の端に位置し且つ中間ダイオード６のアノード側のみに隣接するアノード端コンデンサ２Ａにおける中間ダイオードとは反対側のアノード端外側電極８Ａに接続したカソード並列配線９Ｋとを有し、前記アノード並列配線９Ａに前記切替スイッチ３が配設され、前記カソード並列配線９Ｋに前記カソード・コンデンサ間７Ｋからアノード端外側電極８Ａに向かって順方向に並列用ダイオード１０が配設されている、前記カソード並列配線９Ｋに前記切替スイッチ３が配設され、前記アノード並列配線９Ａに前記カソード端外側電極８Ｋからアノード・コンデンサ間７Ａに向かって順方向に並列用ダイオード１０が配設されている、又は、前記アノード並列配線９Ａ及びカソード並列配線９Ｋに前記切替スイッチ３が配設されていることを第１の特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明に係る充放電回路１の第２の特徴は、第１の特徴に加えて、前記切替スイッチ３による切替と前記放電スイッチ４による放電開始を周期的に行うタイマー部１１を有し、このタイマー部１１の電源端子１２を、前記カソード端コンデンサ２Ｋ又はアノード端コンデンサ２Ａと当該コンデンサ２Ｋ、２Ａに隣接する中間ダイオード６とのダイオード・コンデンサ間７Ｄに接続したタイマー電源配線１３を有し、このタイマー電源配線１３に、前記ダイオード・コンデンサ間７Ｄから電源端子１２に向かって順方向に電源用ダイオード１４が配設されている点にある。
【手続補正５】
【補正対象書類名】明細書
【補正対象項目名】００１２
【補正方法】変更
【補正の内容】
【００１２】
本発明に係る検電器２０の第１の特徴は、上述した第２の特徴を有した充放電回路１を備え、この充放電回路１から放電される出力電流Ｙを用いて、電路Ｒの通電を検査する検電器であって、前記充放電回路１におけるアノード端外側電極８Ａとカソード端外側電極８Ｋそれぞれに接続された一対のゲート電極２１を備え、この一対のゲート電極２１を前記電路Ｒの通電により生じる電界Ｅ内に位置させた際に、前記一対のゲート電極２１間の電位差による入力電流Ｘを前記複数のコンデンサ２に充電し、前記複数のコンデンサ２から周期的に放電される出力電流Ｙで点滅する発光部２２を備えている点にある。